(57)【要約】      （修正有）【課題】２つ折りタイプの携帯電話機に適用して好適なヒンジ装置を提供する。【解決手段】第１の部材と第２の部材を相対的に開閉可能に連結するものであって、一端部に鍔部を有するシャフトと、このシャフトを中心部軸方向へ挿通させ該シャフトの一端部側に係止され回転可能に設けられたケース体と、このケース体内部の一側部側に前記シャフトに回転を拘束されて設けられた一端部にカム部を有する固定カムと、前記シャフトの自由端側に前記ケースの外部において取り付けられた外周に回り止め手段を有する固定部材と、前記シャフトを中心部軸方向へ挿通させ前記ケース体に回転を拘束されつつ軸方向へ摺動可能に設けられた前記固定カムと対向する側にカム部を有するスライダーカムと、このスライダーカムと前記固定部材の間に前記シャフトに還巻きされつつ弾設したコンプレッションスプリングとから構成する。【選択図】          図５
2004204979.tif 000002
【特許請求の範囲】
【請求項１】
第１の部材と第２の部材を相対的に開閉可能に連結するものであって、一端部に鍔部を有するシャフトと、このシャフトを中心部軸方向へ挿通させ該シャフトの一端部側に係止され回転可能に設けられたケース体と、このケース体内部の一側部側に前記シャフトに回転を拘束されて設けられた一端部にカム部を有する固定カムと、前記シャフトの自由端側に前記ケースの外部において取り付けられた外周に回り止め手段を有する固定部材と、前記シャフトを中心部軸方向へ挿通させ前記ケース体に回転を拘束されつつ軸方向へ摺動可能に設けられた前記固定カムと対向する側にカム部を有するスライダーカムと、このスライダーカムと前記固定部材の間に前記シャフトに還巻きされつつ弾設したコンプレッションスプリングとから成り、前記ケース体をその外側と内側に回り止め手段を設けた全絞り状のもので構成すると共に、前記固定カム側のカム部はスライダーカム側に比較的高く突出させた左右対称の凸部で構成し、前記スライダーカム側のカム部は片側になだらかな傾斜面と急激な傾斜面を持つ凸部を有するもので構成したことを特徴とする、ヒンジ装置。
【請求項２】
前記ケース体は前記シャフトに軸受けされる側壁を有し、この側壁の両側には、前記シャフトの鍔部と前記固定カムの間にスライドワッシャーが介在されていることを特徴とする、請求項１に記載のヒンジ装置。
【発明の詳細な説明】
【０００１】
【発明の属する技術分野】
この発明は、とくに携帯電話機のような小型の情報端末に用いて好適なヒンジ装置に関する。
【０００２】
【従来の技術】
小型の情報端末の中には、例えば携帯電話機のように、キーボード本体とディスプレイ装置とを別体に構成し、両者をヒンジ装置を用いて相対的に開閉可能に連結した２つ折りタイプのものがある。
【０００３】
従来、かかる２つ折りタイプの携帯電話機用のヒンジ装置として、次の特許文献に示されたものが公知である。
【０００４】
【特許文献１】特開２０００−３３７００８号公開特許公報
【０００５】
この特許文献１に記載されたものは、一端部に係止部を有するシャフトと、このシャフトを中心部軸方向に挿通させて係止部に係止されたケース体と、このケース体の開放端側に設けたキー溝に軸方向へ摺動可能に係止され一端面にカム部を有すると共に、中心部軸方向へ前記シャフトを挿通させたスライダーカムと、このスライダーカムのカム部と対向する端面にカム部を有しその中心部軸方向に前記シャフトを挿通させた回転カムと、前記シャフトの回りに還巻きされつつ前記ケース体内に収容され該ケース体と前記回転摺動カムとの間に弾設されたコンプレッションスプリングとから成るものであった。
【０００６】
【発明が解決しようとする課題】
上述した従来公知のヒンジ装置は、使用中にキー溝やケース体の開放端から、各カムに塗布させた潤滑剤が漏れ出てき易い上に、使用に伴う力がケース体のキー溝の部分やケースの開放端側に加わるので、強度的に問題が生じ易いという欠点があった。
【０００７】
この発明の目的は、潤滑剤がケース体外へ漏れ出てくるのを防止し、強度を高め耐久性を増したとくに２つ折りタイプの携帯電話機に適用して好適なヒンジ装置を提供せんとするにある。
【０００８】
尚、以下にこの発明を２つ折りタイプの携帯電話機に適用した場合について説明するが、この発明に係るヒンジ装置は、２つ折りタイプの携帯電話機以外の小型の携帯情報端末にも適用できることは言うまでもない。
【０００９】
【課題を解決するための手段】
上述した目的を達成するためにこの発明は、第１の部材と第２の部材を相対的に開閉可能に連結するものであって、一端部に鍔部を有するシャフトと、このシャフトを中心部軸方向へ挿通させ該シャフトの一端部側に係止され回転可能に設けられたケース体と、このケース体内部の一側部側に前記シャフトに回転を拘束されて設けられた一端部にカム部を有する固定カムと、前記シャフトの自由端側に前記ケースの外部において取り付けられた外周に回り止め手段を有する固定部材と、前記シャフトを中心部軸方向へ挿通させ前記ケース体に回転を拘束されつつ軸方向へ摺動可能に設けられた前記固定カムと対向する側にカム部を有するスライダーカムと、このスライダーカムと前記固定部材の間に前記シャフトに還巻きされつつ弾設したコンプレッションスプリングとから成り、前記ケース体をその外側と内側に回り止め手段を設けた全絞り状のもので構成すると共に、前記固定カム側のカム部はスライダーカム側に比較的高く突出させた左右対称の凸部で構成し、前記スライダーカム側のカム部は片側になだらかな傾斜面と急激な傾斜面を持つ凸部を有するもので構成したことを特徴とする。
【００１０】
その際にこの発明は、前記ケース体を、前記シャフトに軸受けされる側壁を有するものとし、この側壁の両側の前記シャフトの鍔部と前記固定カムの間に、スライドワッシャーを介在させることができる。
【００１１】
【発明の実施の形態】
以下にこの発明の一実施の形態を図面に基づいて詳細に説明する。図１において、指示記号１で示されたものは、２つ折りタイプの携帯電話機であり、指示記号２で示されたものはその第１の部材を構成するキーボード本体、指示記号３で示されたものは、その第２の部材を構成する例えば液晶表示装置から成るディスプレイ装置である。
【００１２】
この発明に係るヒンジ装置Ａ，Ａは、この第１の部材であるキーボード本体２と第２の部材であるディスプレイ装置３とを相対的に開閉可能に連結するものであって、キーボード本体２の取付部２ａ，２ａとディスプレイ装置３の取付部３ａ間に装着されている。図面ではヒンジ装置Ａ，Ａは一対用いられているが、１個でも良い。図１に示したヒンジ装置Ａ，Ａは、左右対称のもので構成は同じであるので、以下に一方のヒンジ装置Ａの構成のみについて説明する。
【００１３】
図２乃至図１０において、指示記号５で示されたものはＳＵＭ２４Ｌ製のシャフトであり、浸炭焼入れをし、このシャフト５は、一端部に鍔部５ａを有し、この鍔部５ａに続いて大径部５ｂを有し、この大径部５ｂに続いて変形部５ｃを有する中径部５ｄと、この中径部５ｄに続く小径部５ｅと、この小径部５ｅの一端部に設け半径方向に挿通孔５ｆを有する変形取付部５ｇを有するものである。
【００１４】
指示記号６のものはケース体である。このケース体６は、外周軸方向に一対の平坦部から成る回り止め手段６ａ，６ａを設けることによって断面太鼓状を呈した一端部開放のもので、その側壁６ｂに設けた軸受孔６ｃにシャフト５の大径部５ｂを軸挿させ、鍔部５ａによって軸方向へ抜け出さないようにかつ回転可能に係止されている。この鍔部５ａと側壁６ｂとの間には、スライディングワッシャー７が介在されている。シャフト５の中径部５ｄの変形部５ｃには、固定カム８がその変形挿通孔８ａへ該変形部５ｃを挿通係合させつつ取り付けられており、この固定カム８と側壁６ｂとの間には、中径部５ｄをその中心部軸方向に設けた挿通孔９ａへ挿通させてスライドワッシャー９が介在させられている。
【００１５】
ケース体６の開放端側には、シャフト５の自由端側に設けた変形取付部５ｇをその中心部軸方向に設けた変形取付孔１０ａへ挿通係合させつつ、外周に回り止め手段１０ｂを設けた固定部材１０が取付ピン１１によって抜け出ないように、かつシャフト５と共に回転するように取り付けられている。ケース体６内の固定カム８と対向する位置には、その中心部軸方向に設けた挿通孔１２ａへシャフト５の小径部５ｅを摺動可能に挿通させてスライダーカム１２が配置されている。このスライダーカム１２と固定部材１０との間には、シャフト５び小径部５ｅに還巻きされてコンプレッションスプリング１３が弾設され、スライダーカム１２を常に固定カム８側へ押圧させている。
【００１６】
スライダーカム１２の外周には、平坦部から成る回り止め手段１２ｂが設けられると共に、固定カム８とスライダーカム１２との互いの対向面には、それぞれ凸部１４ａ及び凹部１４ｂ及び凸部１５ａ及び凹部１５ｂから成るカム部１４，１５が設けられている。各カム部１４，１５の摺接部には図示してないがシリコンオイルのような粘性の潤滑油が塗布されている。
【００１７】
そして、とくに図１と図２及び図５に示したように、ヒンジ装置Ａのケース体６の側をディスプレイ装置３の取付部３ａに設けた変形取付孔３ｂへ挿入係合させ、固定カム１１の側をキーボード本体２の取付部２ａに設けた変形取付孔２ｂへ挿入固定させると、ヒンジ装置Ａ，Ａの組付は完了する。
【００１８】
したがって、図５に示したように、第１の部材であるキーボード本体２に対し、第２の部材であるディスプレイ装置３を閉じた状態において、図１１の矢印（ａ）で示したように、スライダーカム１２のカム部１５の凸部１５ａは、固定カム８のカム部１４の凹部１４ｂの途中まで落ち込んだ状態にある。この状態から第２の部材であるディスプレイ装置３を第１の部材であるキーボード本体２に対して開くと、ケース体６がディスプレイ装置３の取付部３ａと共に回転し、固定カム８のカム部１４の凸部１４ａが、図１１の矢印（ｂ）、（ｃ）に示したように、スライダーカム１２のなだらかな登り傾斜面１５ｃに移動することによって、図１１の矢印（ｄ）に示したように１２２°まで開かれる。１２２°以降は、スライダーカム１２のカム部１５の凹部１５ｂへ固定カム８のカム部１４の凸部１４ａが落ち込むことにより、図１１の矢印（ｅ）に示したように、自動的に１６０°まで開かれる。
【００１９】
開いたディスプレイ装置３を閉じる際には、図１１に示したように、固定カム８のカム部１４の凸部１４ａがスライダーカム１２のカム部１５の凹部１５ｂを脱出する際の抵抗に遭遇するが、しかる後に固定カム８のカム部１４の凸部１４ａは、スライダーカム１２のカム部１５の傾斜面１５ｃを下ることになるので、コンプレッションスプリング１３による押圧力により、スムーズに０°まで閉じられる。
【００２０】
尚、その他の実施の形態として、ケース体を第１の部材であるキーボード本体側の取付部に取り付けることができ、ケース体の外側と内側及び固定部材の外側、スライダーカムの外側に設ける各回り止め手段は、上述した実施の形態のものに限定されない。また、シャフトの鍔部は、上述した実施の形態のものと逆方向に設け、ケース体をＥリングで係止するように構成しても良い。さらに、固定カム、固定部材の各シャフトの変形部、変形取付部及び変形挿通孔の形状も実施の形態のものに限定されず、さまざまな公知形状のものとすることができる。そして、シャフト、ケース体、固定カム、固定部材、及びスライダーの材質についてもシャフトと固定カムとスライダーカムの材質は強度と耐摩耗性を必要とすることから、金属製の硬い材質のものが望ましいが、実施の形態のものに限定されない。必要に応じて，ＳＵＳ、ＰＯＭ等の材料で構成することができる。
【００２１】
スライダーワッシャーは摺動性を高めるために用いているが、これを同時にフリクションワッシャーとすることは任意である。シャフトと固定部材を固定する手段である取付ピンは、シャフトの側に鍔部を設けることによって省略できよう。
【００２２】
【発明の効果】
この発明は以上のように構成したので、次のような効果を創し得る。
【００２３】
請求項１のように構成すると、ケース体が全絞り状のものであり、かつ、潤滑剤を塗布させる摺動カム及びこの摺動カムと固定カムの各カム部の部分がケース体内部に設けられていることから、使用中に潤滑剤が外部へ漏れ出てくるのを可及的に防止することができる上に、シャフトの中央部に近いところで各カム部の圧接、フリクション回動等の力を受けるので、効率良く力を分散でき、回転・摺動の力のロスを少なくすることが出来ると共に、耐摩耗性を高め、耐久性を増すことができるという効果を奏し得る。
【００２４】
また、請求項２のように構成すると、金属製材質のシャフトの鍔部及び固定カムとの間で圧接状態で回転するケース体の側壁が磨耗するのを可及的に防止し、耐久性を高めることができるという効果を奏し得る。
【図面の簡単な説明】
【図１】この発明に係るヒンジ装置を使用した携帯電話機の第１の部材であるキーボード本体と第２の部材であるディスプレイ装置を開いて見た平面図である。
【図２】この発明に係るヒンジ装置の正面図である。
【図３】図２に示したヒンジ装置の右側面図である。
【図４】図２に示したヒンジ装置の左側面図である。
【図５】図２に示したヒンジ装置の正面断面図である。
【図６】図２に示したヒンジ装置のシャフトの正面図である。
【図７】図２に示したヒンジ装置の固定カムの平面図である。
【図８】図２に示したヒンジ装置の固定カムの平面図である。
【図９】図２に示したヒンジ装置の固定カムの右側面図である。
【図１０】図２に示したヒンジ装置のスライダーカムの左側面図である。
【図１１】図２に示したヒンジ装置の固定カムのカム部に対するスライダーカムのカム部の動きを説明する説明図である。
【図１２】図２と図５に示したヒンジ装置の動きを説明するための縦断面図である。
【符号の説明】
Ａ  ヒンジ装置
１  携帯電話機
２  キーボード本体
２ａ  取付部
３  ディスプレイ装置
３ａ  取付部
３ｂ  変形取付孔
５  シャフト
５ａ  鍔部
５ｂ  大径部
５ｃ  変形部
５ｄ  中径部
５ｅ  小径部
５ｆ  挿通孔
５ｇ  変形取付部
６  ケース体
６ａ  回り止め手段
６ｂ  側壁
６ｃ  軸受孔
７  スライディングワッシャー
８  固定カム
８ａ  変形挿通孔
９  スライドワッシャー
９ａ  挿通孔
１０  固定部材
１０ａ  変形取付孔
１０ｂ  回り止め手段
１１  取付ピン
１２  スライダーカム
１２ａ  挿通孔
１２ｂ  回り止め手段
１３  コンプレッションスプリング
１４  カム部
１４ａ  凸部
１４ｂ  凹部
１５  カム部
１５ａ  凸部
１５ｂ  凹部
１５ｃ  傾斜面
【図１】
2004204979.tif 000003
【図２】
2004204979.tif 000004
【図３】
2004204979.tif 000005
【図４】
2004204979.tif 000006
【図５】
2004204979.tif 000007
【図６】
2004204979.tif 000008
【図７】
2004204979.tif 000009
【図８】
2004204979.tif 000010
【図９】
2004204979.tif 000011
【図１０】
2004204979.tif 000012
【図１１】
2004204979.tif 000013
【図１２】
2004204979.tif 000014